(57)【要約】【課題】セキュリティを確保し、操作性が良く、充電池の消耗を低減できる携帯端末装置を提供する。【解決手段】第１および第２筐体を開閉可能に連結した折り畳み型携帯端末装置において、筐体を閉じた状態でロックする開閉部１２９と、ロックを解除し、筐体を開く開指示部２１１と、筐体を閉じた状態で、予め登録されたユーザを認証する認証処理部２０９と、当該装置に供給される電流を制御する省電力モード制御部２０５と、筐体を開く要求を受け付ける開要求受付部２０１と、を備え、省電力モード制御部２０５は、開閉部１２９がロックしているとき、当該装置が待受動作可能な第１電流レベルに電流を制御するとともに、開要求受付部２０１が要求を受け付けた後、第１電流レベルより高い、認証処理部２０９が動作可能な第２電流レベルに電流を制御し、開指示部２１１は、認証処理部２０９がユーザを認証したとき、開閉部１２９のロックを解除し、筐体を開く。【選択図】図２
2008244785.tif 000002
【特許請求の範囲】
【請求項１】
第１筐体および第２筐体を開閉可能に連結した折り畳み型携帯端末装置において、
前記第１筐体および前記第２筐体を閉じた状態でロックするロック部と、
前記ロック部のロックを解除し、前記第１筐体および前記第２筐体を開く解除部と、
前記第１筐体および前記第２筐体を閉じた状態で、予め登録されたユーザを認証する認証部と、
当該携帯端末装置に供給される電流を制御する電流制御部と、
前記第１筐体および前記第２筐体を開く要求を受け付ける受付部と、を備え、
前記電流制御部は、前記ロック部がロックしているとき、当該携帯端末装置が待受動作可能な第１電流レベルに前記電流を制御するとともに、前記受付部が前記要求を受け付けた後、前記第１電流レベルより高い、前記認証部が動作可能な第２電流レベルに前記電流を制御し、
前記解除部は、前記認証部が前記ユーザを認証したとき、前記ロック部のロックを解除し、前記第１筐体および前記第２筐体を開く携帯端末装置。
【請求項２】
請求項１に記載の携帯端末装置において、
前記ユーザの操作を受け付ける操作部を含み、
前記操作部は、前記第１筐体および前記第２筐体が閉じた状態のときにはその内側に位置し、操作不可能状態であり、前記第１筐体および前記第２筐体が開いた状態のときに操作可能に表面に露出する携帯端末装置。
【請求項３】
請求項１または２に記載の携帯端末装置において、
前記認証部は、前記ユーザの認証情報が記録された外部記録媒体と非接触通信を行う通信部を含み、前記外部記録媒体から前記認証情報を読み取り、予め登録されている前記ユーザの認証情報と照合して認証処理を行う携帯端末装置。
【請求項４】
請求項１乃至３いずれかに記載の携帯端末装置において、
前記認証部は、前記ユーザの指紋を読み取る指紋読取部を含み、読み取った指紋情報と予め登録されている前記ユーザの指紋情報を照合して認証処理を行う携帯端末装置。
【請求項５】
請求項１乃至４いずれかに記載の携帯端末装置において、
前記認証部は、前記ユーザの虹彩を読み取る虹彩読取部を含み、読み取った虹彩情報と予め登録されている前記ユーザの虹彩情報を照合して認証処理を行う携帯端末装置。
【請求項６】
請求項１乃至５いずれかに記載の携帯端末装置において、
前記認証部は、前記ユーザの音声を入力する入力部を含み、入力された音声と予め登録されている前記ユーザの音声を照合して認証処理を行う携帯端末装置。
【発明の詳細な説明】
【技術分野】
【０００１】
本発明は、携帯端末装置に関し、特に、個人認証機能を有する折り畳み型携帯端末装置に関する。
【背景技術】
【０００２】
近年、携帯端末装置は、高機能化が進み、単なる通信端末装置としての機能だけでなく、電子マネー機能なども備えられるようになってきた。そのため紛失や盗難に遭うなどして他者に携帯端末装置が渡ってしまうと、不正に使用されてしまう危険性がある。そこで、携帯端末装置には、指紋認証などの個人認証機能が搭載されたものも数多く出回っている。
このような従来の携帯端末装置としては、例えば特許文献１に記載されたものがある。同文献に記載された移動通信端末機は、開閉可能な第１ハウジングと第２ハウジングを閉じた状態で、使用者認証が可能であり、ハウジングが閉じられてロックされている状態で、使用者が認証されるとロックが解除され、ハウジングを開くことが可能となるものである。
【特許文献１】特開２００６−１６６４６２号公報
【特許文献２】特開２００２−３６８８７０号公報
【特許文献３】特開２００６−６６９７５号公報
【発明の開示】
【発明が解決しようとする課題】
【０００３】
しかしながら、上記文献記載の従来技術は、以下の点で改善の余地を有していた。すなわち、従来の携帯端末装置は、使用者の認証処理を行う認証部を動作可能にするために必要な電力を、携帯端末装置を閉じた状態のときも供給する必要があった。そのため、携帯端末装置を開いた後、省電力モードを解除して認証を行う場合に比較して、充電池の電力消耗が大きくなってしまう。また、図６に示すような折り畳み型携帯電話機１にあっては、上部筐体３と下部筐体５を閉じている状態では、省電力モードになっている。そして、個人認証の処理は上部筐体３と下部筐体５を開いた後、さらに省電力モードを解除した後、行う構成となっている。
【０００４】
図６（ａ）に示すように、まず上部筐体３と下部筐体５が閉じている状態で、ユーザが省電力モードの携帯電話機１の開くボタン９を押下する。そして、上部筐体３と下部筐体５が開かれる（図６（ｂ））。上部筐体３と下部筐体５が開いた時点で省電力モードが解除され、個人認証処理が可能となる。そして、図６（ｃ）に示すように、ユーザが携帯電話機１を持った手を捻り、上部筐体３の外側に設けられた認証部７を身体側にあるＩＣカード１３に当てると、携帯電話機１は個人認証処理を行う。そして、個人認証が終了すると、携帯電話機１は操作および使用可能状態となる（図６（ｄ））。このとき、ユーザは携帯電話機１を持った手を捻っていた状態から元に戻す。
【０００５】
このように、パスワード入力操作などの煩わしさを解消するためにＩＣカード１３による認証を採用したにも拘わらず、上部筐体３と下部筐体５を開くための開くボタン９を押下する動作（図６（ａ））と、個人認証を行う動作（図６（ｃ））は、別々に実施され、一連の流れで実施できなかった。
【０００６】
本発明は上記事情に鑑みてなされたものであり、その目的とするところは、個人認証によるセキュリティを確保しつつ、操作性が良く、かつ充電池の消耗を低減できる携帯端末装置を提供することにある。
【課題を解決するための手段】
【０００７】
本発明によれば、第１筐体および第２筐体を開閉可能に連結した折り畳み型携帯端末装置において、
前記第１筐体および前記第２筐体を閉じた状態でロックするロック部と、
前記ロック部のロックを解除し、前記第１筐体および前記第２筐体を開く解除部と、
前記第１筐体および前記第２筐体を閉じた状態で、予め登録されたユーザを認証する認証部と、
当該携帯端末装置に供給される電流を制御する電流制御部と、
前記第１筐体および前記第２筐体を開く要求を受け付ける受付部と、を備え、
前記電流制御部は、前記ロック部がロックしているとき、当該携帯端末装置が待受動作可能な第１電流レベルに前記電流を制御するとともに、前記受付部が前記要求を受け付けた後、前記第１電流レベルより高い、前記認証部が動作可能な第２電流レベルに前記電流を制御し、
前記解除部は、前記認証部が前記ユーザを認証したとき、前記ロック部のロックを解除し、前記第１筐体および前記第２筐体を開く携帯端末装置が提供される。
【０００８】
この発明によれば、第１筐体と第２筐体を開く処理とユーザの認証処理を同時に行うことができるので、個人認証によるセキュリティを確保できるとともに、操作性を向上させることができる。また、携帯端末装置を閉じて携行している場合は、認証部が動作できないレベルまで消費電力を落とすことができるので、必要な消費電力を低減でき、充電池の充電間隔を延ばすことができる。
【０００９】
上記携帯端末装置において、前記ユーザの操作を受け付ける操作部を含むことができ、前記操作部は、前記第１筐体および前記第２筐体が閉じた状態のときにはその内側に位置し、操作不可能状態であり、前記第１筐体および前記第２筐体が開いた状態のときに操作可能に表面に露出することができる。
【００１０】
この構成によれば、携帯端末装置のロックを解除し、第１筐体および第２筐体が開かれるまで、操作ができないので、不正使用などを防止でき、セキュリティを確保できる。
【００１１】
上記携帯端末装置において、前記認証部は、前記ユーザの認証情報が記録された外部記録媒体と非接触通信を行う通信部を含むことができ、前記外部記録媒体から前記認証情報を読み取り、予め登録されている前記ユーザの認証情報と照合して認証処理を行うことができる。
【００１２】
上記携帯端末装置において、前記認証部は、前記ユーザの指紋を読み取る指紋読取部を含むことができ、読み取った指紋情報と予め登録されている前記ユーザの指紋情報を照合して認証処理を行うことができる。
【００１３】
上記携帯端末装置において、前記認証部は、前記ユーザの虹彩を読み取る虹彩読取部を含むことができ、読み取った虹彩情報と予め登録されている前記ユーザの虹彩情報を照合して認証処理を行うことができる。
【００１４】
上記携帯端末装置において、前記認証部は、前記ユーザの音声を入力する入力部を含むことができ、入力された音声と予め登録されている前記ユーザの音声を照合して認証処理を行うことができる。
【００１５】
なお、以上の構成要素の任意の組合せ、本発明の表現を方法、装置、システム、記録媒体、コンピュータプログラムなどの間で変換したものもまた、本発明の態様として有効である。
【発明の効果】
【００１６】
本発明によれば、個人認証によるセキュリティを確保しつつ、操作性が良く、かつ充電池の消耗を低減できる携帯端末装置が提供される。
【発明を実施するための最良の形態】
【００１７】
以下、本発明の実施の形態について、図面を用いて説明する。尚、すべての図面において、同様な構成要素には同様の符号を付し、適宜説明を省略する。
【００１８】
図１は、本発明の実施の形態に係る携帯端末装置の構成を示すブロック図である。携帯端末装置は、たとえば、携帯電話機１００であり、特に、第１筐体と第２筐体が開閉可能に連結した折り畳み型の携帯電話機１００である。なお、以下の各図において、本発明の本質に関わらない部分の構成については省略してある。
【００１９】
また、携帯端末装置の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２０】
本実施形態の携帯電話機１００は、ＣＰＵ１０１と、ＲＯＭ１０３と、ＥＥＰＲＯＭ１０５と、ＲＡＭ１０７と、アンテナ１０９と、送受信部１１１と、操作キー１１３と、開くボタン１１５と、操作入力受付部１１７と、表示部１１９と、表示制御部１２１と、バッテリ１２３と、電流制御部１２５と、認証部１２７と、開閉部１２９と、を備える。
【００２１】
ＣＰＵ１０１は、バス１３０を介して携帯電話機１００の各要素に接続され、各要素とともに装置全体を制御する。ＲＯＭ１０３は、携帯電話機１００を制御および動作させるための各種プログラムおよびデータが記憶される。ＲＯＭ１０３には、その他、メールデータ、各種アプリケーションファイル、コンテンツデータファイルなどが記憶される。ＥＥＰＲＯＭ１０５は、各種設定値などが記憶される。また、本実施形態において、ＥＥＰＲＯＭ１０５には、予め登録されたユーザの認証情報が記憶される。ＲＡＭ１０７は、ＣＰＵ１０１の作業領域を含む。
【００２２】
送受信部１１１は、アンテナ１０９を介して基地局（不図示）と無線通信を行う。これにより、携帯電話機１００は、通話やメール送受信、インターネットへの接続などを行うことができる。操作キー１１３は、携帯電話機１００の筐体に設けられた各種キーである。本実施形態において、操作キー１１３は、上部筐体と下部筐体が閉じた状態のときには、その内側に位置し、操作不可能状態であり、上部筐体と下部筐体が開いた状態のときに操作可能に表面に露出する。これにより、携帯電話機１００のロックを解除し、上部筐体と下部筐体が開かれるまで、操作できないので、不正使用などを防止でき、セキュリティを確保できる。
【００２３】
開くボタン１１５は、閉じている上部筐体と下部筐体を開くための操作ボタンであり、たとえば、下部筐体の側面など、上部筐体と下部筐体が閉じた状態で操作可能な位置に設けられている。操作入力受付部１１７は、ユーザによる操作キー１１３および開くボタン１１５の操作を受け付け、ＣＰＵ１０１に通知する。表示部１１９は、たとえば、筐体に設けられた液晶ディスプレイ表示器、有機ＥＬ（ElectroLuminescence）ディスプレイ表示器などである。表示制御部１２１は、ＣＰＵ１０１からの指示に従い、表示部１１９への表示を制御する。
【００２４】
電流制御部１２５は、バッテリ１２３から携帯電話機１００に供給する電流を制御する。認証部１２７は、予め登録されたユーザの認証を行う。認証部１２７は、たとえば、ユーザの認証情報が記録されたＩＣカードなどの外部記録媒体と非接触通信を行う通信部（不図示）を含み、ＩＣカードから認証情報を読み取り、予め登録されているユーザの認証情報と照合して認証処理を行う。ユーザの認証情報は、上述したようにＥＥＰＲＯＭ１０５に予め記憶させておく。他の実施形態において、認証部１２７は、ユーザの指紋を読み取る指紋読取部を含むことができる。認証部１２７は、読み取った指紋情報と予め登録されているユーザの指紋情報を照合して認証処理を行う。指紋読取部は、携帯電話機１００が閉じられた状態で読み取り可能なように、筐体の外側に設けられる。
【００２５】
さらに、認証部１２７は、ユーザの虹彩を読み取る虹彩読取部を含むことができる。認証部１２７は、読み取った虹彩情報と予め登録されているユーザの虹彩情報を照合して認証処理を行う。また、認証部１２７は、ユーザの音声を入力する入力部を含むことができる。認証部１２７は、入力された音声と予め登録されているユーザの音声を照合して認証処理を行う。
【００２６】
開閉部１２９は、上部筐体と下部筐体を閉じた状態でロックするとともに、解除指示に従ってロックを解除し、上部筐体および下部筐体を開く。上部筐体と下部筐体のロック機構および、上部筐体および下部筐体を開く機構については、様々な態様が採用でき、これらは当業者にとってよく知られており、また本発明の本質に関わらないのでその詳細な構成の説明は省略する。
【００２７】
また、本実施形態の携帯電話機１００は、この他にも、撮像部、赤外線通信部、シリアル通信部、電子マネー処理部、音声入出力部、地上波ディジタルテレビジョン放送受信部、ラジオ放送受信部など様々な機能および構成を有するが、本発明の本質に関わらないので説明は省略する。
【００２８】
図２は、本実施形態の携帯電話機１００の概略機能ブロック図である。本実施形態の携帯電話機１００は、第１筐体および第２筐体を開閉可能に連結した折り畳み型携帯端末装置（携帯電話機１００）において、第１筐体および第２筐体を閉じた状態でロックするロック部（開閉部１２９）と、ロック部（開閉部１２９）のロックを解除し、第１筐体および第２筐体を開く解除部（開閉部１２９、開指示部２１１）と、第１筐体および第２筐体を閉じた状態で、予め登録されたユーザを認証する認証部（認証処理部２０９）と、当該携帯端末装置（携帯電話機１００）に供給される電流を制御する電流制御部（省電力モード制御部２０５、電流制御部１２５）と、第１筐体および第２筐体を開く要求を受け付ける受付部（開要求受付部２０１）と、を備え、電流制御部（省電力モード制御部２０５、電流制御部１２５）は、ロック部（開閉部１２９）がロックしているとき、当該携帯端末装置（携帯電話機１００）が待受動作可能な第１電流レベルに電流を制御するとともに、受付部（開要求受付部２０１）が要求を受け付けた後、第１電流レベルより高い、認証部（認証処理部２０９）が動作可能な第２電流レベルに電流を制御し、解除部（開指示部２１１、開閉部１２９）は、認証部（認証処理部２０９）がユーザを認証したとき、ロック部（開閉部１２９）のロックを解除し、第１筐体および第２筐体を開く。
【００２９】
詳細には、携帯電話機１００は、開要求受付部２０１と、省電力モード解除部２０３と、省電力モード制御部２０５と、個人認証情報取得部２０７と、認証処理部２０９と、開指示部２１１と、を含む。
【００３０】
開要求受付部２０１は、図１の開くボタン１１５をユーザが操作したことを操作入力受付部１１７を介して受け付ける。省電力モード解除部２０３は、開要求受付部２０１が開くボタン１１５の操作を受け付けたとき、省電力モードを解除するよう省電力モード制御部２０５に通知するとともに、個人認証情報取得部２０７に認証の開始を指示する。ここで、省電力モードとは、携帯電話機１００の上部筐体と下部筐体が閉じられた状態で、待受動作が可能な第１電流レベルに電流が制御されている状態である。
【００３１】
省電力モード制御部２０５は、省電力モード解除部２０３からの通知を受けて、電流制御部１２５に省電力モードを解除し、第１電流レベルから、第１電流レベルよりも高い第２電流レベルに電流を制御させる。ここで、第２電流レベルとは、認証部１２７、個人認証情報取得部２０７、および認証処理部２０９が動作可能な電流レベルである。
【００３２】
個人認証情報取得部２０７は、省電力モード解除部２０３からの通知を受け、省電力モード制御部２０５により動作可能となると、認証部１２７が取得した認証に必要な情報、たとえば、ＩＣカードから読み取った認証情報を取得し、認証処理部２０９に受け渡す。認証処理部２０９は、予めＥＥＰＲＯＭ１０５に記憶された認証情報と個人認証情報取得部２０７から受け取った認証情報を照合して認証処理を行う。ユーザが認証された場合、認証処理部２０９は開指示部２１１に認証されたことまたは開指示を通知する。認証されなかった場合は、認証処理部２０９は開指示部２１１に通知しない。なお、個人認証情報取得部２０７および認証処理部２０９は、認証部１２７に含まれる構成とすることもできる。
【００３３】
開指示部２１１は、認証処理部２０９からの通知に呼応して、開閉部１２９に対してロック解除と上部筐体と下部筐体を開く指示をする。
【００３４】
このように構成された本実施形態の携帯電話機１００の動作について、以下に説明する。図３は、本実施形態の携帯電話機１００の個人認証動作の一例を示すフローチャートである。図４は、個人認証処理の一例を示すフローチャートである。図５は、本実施形態の携帯電話機１００の個人認証の手順を説明するための図である。以下、図１乃至図５を用いて説明する。
【００３５】
図５（ａ）に示すように、携帯電話機１００は、上部筐体１３１および下部筐体１３３を閉じた状態で、開閉部１２９（図１）によりロックされている。そして、携帯電話機１００は待受状態にあり、このとき電流制御部１２５（図１）は待受動作が可能な第１電流レベルに電流を制御している。そして、ユーザが開くボタン１１５を押下するのを待機する。すなわち図２の開要求受付部２０１が開要求を受け付けるまで待機する（図３のステップＳ１１のＮＯ）。
【００３６】
この状態で、ユーザが開くボタン１１５を押下すると、図２の開要求受付部２０１が操作入力受付部１１７（図１）を介して開要求を受け付ける（図３のステップＳ１１のＹＥＳ）。そして、図２の省電力モード解除部２０３は、図２の省電力モード制御部２０５に省電力モードの解除を指示する。図２の省電力モード制御部２０５は、図１の電流制御部１２５に省電力モードを解除し、第１電流レベルから第２電流レベルに電流を制御させる（図３のステップＳ１３）。図２の省電力モード解除部２０３は、省電力モードの解除を指示した後、図２の個人認証情報取得部２０７に通知する。
【００３７】
そして、携帯電話機１００は個人認証処理を行うこととなる（図３のステップＳ１５）。具体的には、図５（ｂ）に示すように、ユーザが携帯電話機１００を持った手を捻り、身体側にあるＩＣカード１３５に上部筐体１３１の外側に設けられた認証部１２７を当てる。このとき、図２の個人認証情報取得部２０７が、認証部１２７がＩＣカード１３５から読み取った認証情報を取得する（図４のステップＳ３１）。そして、図２の認証処理部２０９に認証情報が受け渡され、図２の認証処理部２０９は、予め図１のＥＥＰＲＯＭ１０５に記憶されていた認証情報と図２の個人認証情報取得部２０７から受け取った認証情報を照合して認証処理を行う（図４のステップＳ３３）。
【００３８】
ユーザが認証された場合（図３のステップＳ１７のＹＥＳ）、図２の開指示部２１１が、図１の開閉部１２９に対してロック解除と上部筐体１３１と下部筐体１３３を開く指示をする（図３のステップＳ１９）。図１の開閉部１２９は、ロックを解除し、上部筐体１３１と下部筐体１３３を開く動作を行う。このようにして、携帯電話機１００は操作および使用可能な状態となって開かれる（図５（ｃ））。一方、ユーザが認証されなかった場合（図３のステップＳ１７のＮＯ）、そのまま処理を終了する。
【００３９】
以上説明したように、本発明の実施の形態の携帯電話機１００によれば、上部筐体１３１と下部筐体１３３を開く処理と個人認証処理を同時に行うことができるので、個人認証によるセキュリティを確保できるとともに、操作性を向上させることができる。また、携帯端末装置を閉じて携行している場合は、認証部が動作できないレベルまで消費電力を落とすことができるので、必要な消費電力を低減でき、充電池の充電間隔を延ばすことができる。
【００４０】
以上、図面を参照して本発明の実施形態について述べたが、これらは本発明の例示であり、上記以外の様々な構成を採用することもできる。
【図面の簡単な説明】
【００４１】
【図１】本発明の実施の形態に係る携帯電話機の構成を示すブロック図である。
【図２】図１の携帯電話機の概略機能ブロック図である。
【図３】図１の携帯電話機の個人認証動作の一例を示すフローチャートである。
【図４】図３の個人認証処理の一例を示すフローチャートである。
【図５】図１の携帯電話機の個人認証の手順を説明するための図である。
【図６】従来の携帯電話機の個人認証の手順を説明するための図である。
【符号の説明】
【００４２】
１００  携帯電話機
１０１  ＣＰＵ
１０３  ＲＯＭ
１０５  ＥＥＰＲＯＭ
１０７  ＲＡＭ
１０９  アンテナ
１１１  送受信部
１１３  操作キー
１１５  開くボタン
１１７  操作入力受付部
１１９  表示部
１２１  表示制御部
１２３  バッテリ
１２５  電流制御部
１２７  認証部
１２９  開閉部
１３０  バス
１３１  上部筐体
１３３  下部筐体
１３５  ＩＣカード
２０１  開要求受付部
２０３  省電力モード解除部
２０５  省電力モード制御部
２０７  個人認証情報取得部
２０９  認証処理部
２１１  開指示部
【図１】
2008244785.tif 000003
【図２】
2008244785.tif 000004
【図３】
2008244785.tif 000005
【図４】
2008244785.tif 000006
【図５】
2008244785.tif 000007
【図６】
2008244785.tif 000008